(57)【特許請求の範囲】
【請求項１】
透明のガラスにより構成されたガラス扉と、商品を冷却保存する商品収納庫に設けた商品棚と、前記商品収納庫内を冷却する蒸発器と、この蒸発器へ冷媒を供給する冷凍機と、冷気送風ファンと、前記蒸発器で熱交換された冷気の風路を形成する第一のダクトと、前記商品収納庫の上部に設けた第二のダクトと、この第二のダクトに前記第一のダクトより冷気を送る通風口と、前記第二のダクトから前記商品収納庫へ冷気を送る吹き出し部Ａと、前記商品収納庫の側面板に設けた第一のダクトから前記商品収納庫へ冷気を送る吹き出し部Ｂより構成され、前記第二のダクトで冷気の流れは９０°変化し前記吹き出し部Ａから前記ガラス扉の内面側に吹き出され、前記ガラス扉に当たった冷気は前記ガラス扉の内面に沿って下方に流れるとともに、前記第一のダクトの途中から前記商品収納庫の側面板に設けた前記吹き出し部Ｂより、前記商品収納庫へ吹き出され、前記商品収納庫へ吹き出された冷気は前記商品収納庫の下方に位置した第一のダクトへ導く吸い込み口から吸い込まれ前記第一のダクトへ戻り循環することを特徴とする自動販売機。
【請求項２】
商品収納庫の側面板に設けた第一のダクトから前記商品収納庫へ冷気を送る吹き出し部の穴Ｂの面積を商品棚の下段側の方を上段側よりも大きくした請求項１記載の自動販売機。
【請求項３】
第二のダクトから前記商品収納庫へ冷気を送る吹き出し部Ａに冷気を上向けに吐出する第一風向板と、前記風向板の前方に冷気を下方に導く第二風向板を設けた請求項２記載の自動販売機。
【発明の詳細な説明】
【０００１】
【発明の属する技術分野】
本発明は商品の収納庫を冷却して商品を販売するようにした自動販売機に関するものである。
【０００２】
【従来の技術】
近年、自動販売機は、特開昭５５−１５８４７８号公報に示されるような構成になっていた。
【０００３】
以下、図面を参照しながら自動販売機についてその一例を説明する。
図７，図８において、１は自動販売機の本体キャビネット、２はその前面扉であり、前記本体キャビネット１内には上下に冷却室としての商品収納庫３、及び冷凍機４を収容する機械室５が互いに隔絶して仕切られている。前記商品収納庫３には商品棚６が前列と後列に配置されており、周知のように販売指令に基づいて一個迄の商品７が前記商品棚６より前記前面扉２に開口している商品取り出し口８へ搬出されるように構成されている。前記商品７を冷却保存するための冷却ユニット９は前記冷凍機４と、凝縮器１０と、蒸発器１１とからなっている。この蒸発器１１は、前記商品収納庫３内に配置されている。また前記商品収納庫３内には蒸発器１１を通る冷気循環風路を形成されるための風路板１２、及び前記風路板１２を通じて庫内に冷気を循環通風させるための冷気送風ファン１３が設けられている。この構成により前記商品収納庫３には、矢印Ａのように前記蒸発器１１を貫流する冷気が循環通風され、前記商品７を冷却する。
【０００４】
【発明が解決しようとする課題】
しかしながら上記のような構成では、前記商品収納庫３の幅が広いため前記冷気送風ファン１３により送風された冷気は、前記風路板１２の風路内で片寄って流れるため、前記商品収納庫３内で温度分布が不均一となり、前記商品７の温度に大きなバラツキがでるという課題を有していた。
【０００５】
本発明は上記課題に鑑み、前記商品の販売時に、より温度のバラツキの少ない、またプルダウン時間の短い自動販売機を提供するものである。特にガラス扉を板ガラスで構成された自動販売機では、外気の熱が前記商品収納庫内に入ると、扉部に近い前記商品は他の商品よりも温度が上昇しやすくなるので、これを抑制することを目的としている。
【０００６】
【課題を解決するための手段】
この目的を達成するために本発明は、透明のガラスにより構成されたガラス扉と、商品を冷却保存する商品収納庫に設けた商品棚と、前記商品収納庫内を冷却する蒸発器と、この蒸発器へ冷媒を供給する冷凍機と、冷気送風ファンと、前記蒸発器で熱交換された冷気の風路を形成する第一のダクトと、前記商品収納庫の上部に設けた第二のダクトと、この第二のダクトに前記第一のダクトより冷気を送る通風口と、前記第二のダクトから前記商品収納庫へ冷気を送る吹き出し部Ａと、前記商品収納庫の側面板に設けた第一のダクトから前記商品収納庫へ冷気を送る吹き出し部Ｂより構成され、前記第二のダクトで冷気の流れは９０°変化し前記吹き出し部Ａから前記ガラス扉の内面側に吹き出され、前記ガラス扉に当たった冷気は前記ガラス扉の内面に沿って下方に流れるとともに、前記第一のダクトの途中から前記商品収納庫の側面板に設けた前記吹き出し部Ｂより、前記商品収納庫へ吹き出され、前記商品収納庫へ吹き出された冷気は前記商品収納庫の下方に位置した第一のダクトへ導く吸い込み口から吸い込まれ前記第一のダクトへ戻り循環することを特徴とするものである。
【０００７】
こにより、外気の熱が、前記商品収納庫内に入っても、ガラス扉に近い前記商品は温度バラツキが小さくプルダウン時間を短縮できる。
【０００８】
【発明の実施の形態】
本発明の請求項１記載の発明は、透明のガラスにより構成されたガラス扉と、商品を冷却保存する商品収納庫に設けた商品棚と、前記商品収納庫内を冷却する蒸発器と、この蒸発器へ冷媒を供給する冷凍機と、冷気送風ファンと、前記蒸発器で熱交換された冷気の風路を形成する第一のダクトと、前記商品収納庫の上部に設けた第二のダクトと、この第二のダクトに前記第一のダクトより冷気を送る通風口と、前記第二のダクトから前記商品収納庫へ冷気を送る吹き出し部Ａと、前記商品収納庫の側面板に設けた第一のダクトから前記商品収納庫へ冷気を送る吹き出し部Ｂとから構成され、前記第二のダクトで冷気の流れは９０°変化し前記吹き出し部Ａから前記ガラス扉の内面側に吹き出され、前記ガラス扉に当たった冷気は前記ガラス扉の内面に沿って下方に流れるとともに、前記第一のダクトの途中から前記商品収納庫の側面板に設けた前記吹き出し部Ｂより、前記商品収納庫へ吹き出され、前記商品収納庫へ吹き出された冷気は前記商品収納庫の下方に位置した第一のダクトへ導く吸い込み口から吸い込まれ前記第一のダクトへ戻り循環することを特徴とするものであり、外気の熱が、前記商品収納庫内に入っても、ガラス扉に近い前記商品は温度バラツキが小さくプルダウン時間を短縮できるという作用を有する。
【０００９】
請求項２記載の発明は、請求項１の構成に加え、商品収納庫の側面板に設けた第一のダクトから前記商品収納庫へ冷気を送る吹き出し部の穴の面積を商品棚の下段側の方を上段側よりも大きくした構成により、前記第二のダクトから前記商品収納庫へ冷気を送る吹き出し部と、前記商品収納庫の側面板に設けた第一のダクトから前記商品収納庫へ冷気を送る吹き出し部とから出る冷気は均一となり、外気の熱が、前記商品収納庫内に入っても、ガラス扉に近い前記商品は温度バラツキが小さくプルダウン時間を短縮できるという作用を有する。
【００１０】
請求項３記載の発明は、請求項１の構成に加え、第二のダクトから前記商品収納庫へ冷気を送る吹き出し部に冷気を上向けに吐出する第一風向板と、前記風向板の前方に冷気を下方に導く第二風向板を設けた構成により、第二のダクトから前記商品収納庫へ送り出す冷気が有効に商品に当たるため、外気の熱が、前記商品収納庫内に入っても、ガラス扉に近い前記商品は温度バラツキが小さくプルダウン時間を短縮できるという作用を有する。
【００１１】
【実施例】
以下、本発明による自動販売機の庫内温度制御装置の実施例について、図面を参照しながら説明する。なお、従来と同一構成については同一符号を付して詳細な説明を省略する。
【００１２】
（実施例１）
図１は本発明の実施例１による自動販売機の正面図である。図２は本発明の実施例１による自動販売機の外観斜視図である。
【００１３】
１４は断熱壁であり、一定の厚み以上を確保して外気と前記商品の収納庫３を断熱している。１５は前記商品収納庫３を形成する内箱である。１６は前記蒸発器１１で熱交換された冷気の風路を形成する第一のダクト、１７は前記商品収納庫３の上部に設けた第二のダクト、１８は前記第二のダクト１７へ冷気を送る通風口、１９は前記第二のダクト１７から前記商品収納庫３へ冷気を送る吹き出し部、２０は前記商品収納庫３を通った冷気を第一のダクト１６へ導く吸い込み口、２１は前記商品収納庫３の側面板２２に設けた第一のダクトから前記商品収納庫３へ冷気を送る吹き出し部、２４は透明板ガラスでできたガラス扉である。
【００１４】
以上のように構成された自動販売機について、以下その動作を説明する。
まず、前記冷気送風ファン１３により、商品収納庫３を循環した冷気は、前記蒸発器１１で熱交換され、前記第一のダクト１６を上昇し、前記通風口１８から前記第二ダクト１７へ導かれる。
【００１５】
次に、第二のダクト１７で冷気の流れは９０°変化し前記吹き出し部１９から前記ガラス扉２３の内面側に吹き出される。前記ガラス扉２３に当たった冷気は前記ガラス扉２３の内面に沿って下方に流れる。
【００１６】
また、前記蒸発器１１で熱交換された冷気は、前記第一のダクト１６の途中から前記商品収納庫３の側面板２２に設けた吹き出し部２１より、前記商品収納庫３へ吹き出される。前記商品収納庫３へ吹き出された冷気は前記商品収納庫３の下方に位置した第一のダクト１６へ導く吸い込み口２０から吸い込まれ前記第一のダクト１６へ戻り循環する。
【００１７】
以上のように本実施例の自動販売機は、第一のダクト１６と、商品収納庫３の上部に設けた第二のダクト１７と、第二のダクト１７へ冷気を送る通風口１８と、第二のダクト１７から前記商品収納庫３へ冷気を送る吹き出し部１９と、商品収納庫３を通った冷気を第一のダクト１６へ導く吸い込み口２０と、商品収納庫３の側面板２２に設けた第一のダクトから前記商品収納庫３へ冷気を送る吹き出し部２１とから構成され、前記商品収納庫３に前記第二のダクト１７から前記商品収納庫３へ冷気を送る吹き出し部１９と第一のダクトから前記商品収納庫３へ冷気を送る吹き出し部２１とから冷気を吐出するので、外気の熱が、前記商品収納庫内に入っても、ガラス扉に近い前記商品は温度バラツキが小さく、プルダウン時間を短縮できる。
【００１８】
（実施例２）
図３は本発明の実施例２による自動販売機の正面図、図４は本発明の実施例２による自動販売機の側面図である。２４は前記商品収納庫３の側面板２２に設けた第一のダクトから前記商品収納庫３へ冷気を送る吹き出し部２１に設けた側面板穴であり、この側面板穴２４を全商品棚のうち上段側の開口面積を下段側より小さくしている。
【００１９】
以上のように構成された自動販売機について、以下その動作を説明する。
吹き出し部１９から前記ガラス扉２３の内面側に吹き出される。前記ガラス扉２３に当たった冷気は前記ガラス扉２３の内面に沿って下方に流れる。この時同時に前記商品収納庫３の側面板２２に設けた第一のダクトから前記商品収納庫３へ冷気を送る吹き出し部２１に設けた全商品棚のうち上段側の面積を下段側より小さくしている側面板穴２４より冷気を吐出するので、前記商品収納庫３に吐出される冷気が均一化され、外気の熱が、前記商品収納庫内に入っても、ガラス扉に近い前記商品は温度バラツキが小さく、プルダウン時間を短縮できる。
【００２０】
（実施例３）
図５は本発明の実施例３による自動販売機の正面図、図６は本発明の実施例２による自動販売機の側面図である。２５は吹き出し部１９の先端に設けた斜め上向きの風向板、２６は前記風向板Ａ２５の前方に設けた下向きの風向板Ｂである。
【００２１】
以上のように構成された自動販売機について、以下その動作を説明する。
吹き出し部１９の先端に設けた斜め上向きの風向板２５から吐出された冷気は、前記風向板２５の前方に設けた下向きの風向板Ｂ２６に当たり下向きに吹き出される。下向きに吹き出され冷気は前記商品７に沿って下方に流れるために商品が急速に冷却され、外気の熱が、前記商品収納庫内に入っても、ガラス扉に近い前記商品は温度バラツキが小さく、プルダウン時間を短縮できる。
【００２２】
【発明の効果】
以上説明したように本発明の自動販売機では商品収納庫内を冷却する蒸発器と、冷気送風ファンと、前記蒸発器で熱交換された冷気の風路を形成する第一のダクトと、前記商品収納庫の上部に設けた第二のダクトと、この第二のダクトに前記第一のダクトより冷気を送る通風口と、前記第二のダクトから前記商品収納庫へ冷気を送る吹き出し部Ａと、前記商品収納庫の側面板に設けた第一のダクトから前記商品収納庫へ冷気を送る吹き出し部Ｂとから構成され、前記商品収納庫３に前記第二のダクトから前記商品収納庫へ冷気を送る吹き出し部Ａと第一のダクトから前記商品収納庫へ冷気を送る吹き出し部Ｂとから冷気を吐出するので、外気の熱が、前記商品収納庫内に入っても、ガラス扉に近い前記商品は温度バラツキが小さく、プルダウン時間を短縮できる。
【００２３】
また、前記商品収納庫の側面板に設けた第一のダクトから前記商品収納庫へ冷気を送る吹き出し部Ｂに設けた全商品棚のうち上段側の面積を下段側より小さくしている側面板穴より冷気を吐出するので、前記商品収納庫に吐出される冷気が均一化され、外気の熱が、前記商品収納庫内に入っても、ガラス扉に近い前記商品は温度バラツキが小さく、プルダウン時間を短縮できる。
【００２４】
また、吹き出し部Ａの先端に設けた斜め上向きの風向板から吐出された冷気は、前記風向板の前方に設けた下向きの風向板に当たり下向きに吹き出される。下向きに吹き出され冷気は前記商品に沿って下方に流れるために商品が急速に冷却され、外気の熱が、前記商品収納庫内に入っても、ガラス扉に近い前記商品は温度バラツキが小さく、プルダウン時間を短縮できる。
【図面の簡単な説明】
【図１】本発明による自動販売機の実施例１の正面図
【図２】本発明による自動販売機の実施例１から実施例３の外観斜視図
【図３】本発明による自動販売機の実施例２の正面図
【図４】本発明による自動販売機の実施例２の側面図
【図５】本発明による自動販売機の実施例３の正面図
【図６】本発明による自動販売機の実施例３の側面図
【図７】従来の自動販売機の一部切り欠き正面図
【図８】従来の自動販売機の側面断面図
【符号の説明】
３  商品収納庫
４  冷凍機
６  商品棚
７  商品
１１  蒸発器
１３  冷気送風ファン
１６  第一のダクト
１７  第二のダクト
１８  通風口
１９  吹き出し部Ａ
２０  吸い込み口
２１  吹き出し部Ｂ
２２  側面板
２３  ガラス扉
２４  側面板穴
２５  風向板Ａ
２６  風向板Ｂ
【図１】
0003633743.tif 000002
【図２】
0003633743.tif 000003
【図３】
0003633743.tif 000004
【図４】
0003633743.tif 000005
【図５】
0003633743.tif 000006
【図６】
0003633743.tif 000007
【図７】
0003633743.tif 000008
【図８】
0003633743.tif 000009